【手続補正書】
【提出日】平成17年11月16日(2005.11.16)
【手続補正１】
【補正対象書類名】明細書
【補正対象項目名】特許請求の範囲
【補正方法】変更
【補正の内容】
【特許請求の範囲】
【請求項１】  送信者からの健康管理データを受信者に通信する装置であって、
健康管理データを内部に保存する第１コンピュータシステムと、
前記第１コンピュータシステムと動作可能に接続し、かつ、抽出された前記健康管理データを、第１コンピュータシステムから受信し、データベースに保存するように構成される第２コンピュータシステムと、
前記データベース中の前記抽出された健康管理データを正規化する規則エンジンと、
を有し、
前記規則エンジンは、指定のフォーマットで複数の健康管理データフィールドを同定し、
前記指定のフォーマットでの前記複数のデータフィールド内にあるデータに対し、対応する正規化された状態が与えられ、
前記規則エンジンは、前記抽出された健康管理データの対応するフィールドと前記データベース内の健康管理データフィールドを合致させ、前記抽出された健康管理データを、前記合致している、データベース内の健康管理データフィールドに入れ、
前記規則エンジンは、また、前記データベース内の合致しているフィールド内にある前記抽出された健康管理データの意味を判断し、
前記規則エンジンは、前記抽出された健康管理データの意味を、前記複数のデータフィールド内にあるデータに対して対応する正規化された状態と比較し、前記抽出された健康管理データを、前記対応する正規化された状態に変換することにより、前記抽出された健康管理データを正規化する、
ことを特徴とする装置。
【請求項２】  第２コンピュータシステムと動作可能に接続し、かつ、規則エンジンによって正規化された、前記抽出された健康管理データを受信するように構成される第３コンピュータシステムをさらに含むことを特徴とする、請求項１の装置。
【請求項３】  前記第１コンピュータは、それぞれが前記健康管理データの一部を保存する複数のコンピュータであることを特徴とする、請求項１のシステム。
【請求項４】  前記規則エンジンは、前記第３コンピュータが前記抽出された健康管理データの受信を許可されているかどうかを判断することを特徴とする、請求項２のシステム。
【請求項５】  規則エンジンによって正規化され、送信者と受信者の間で交換される健康管理データは、加入資格／特典表示、メンバーリスト、クレーム提出、健康管理サービスプロバイダー一覧、書式一覧、診断コード一覧、処置コード一覧、オンラインアクセス健康管理プラン情報、オンライン通信健康管理プラン、患者とのオンライン通信、幾つかの保険プランにまたがる患者側データ、順序発生と追跡、および、結果総覧と発表、結果の印刷、処方書き込み、各患者における処方歴、患者の承認に基づく患者の個人的医学的記録へのアクセス、内容特異的およびオンデマンドによる個人の医学的内容と健康管理内容の統合、電子商取引−診察室、医学・健康管理関連製品知識・購買可能性、ｅメール、医業管理システム加入、病気治療支援、および、医師クレジット制加入、から成るグループから選ばれたものであって、ここに、受信者が健康管理サービスプロバイダーであることを特徴とする、請求項１のシステム。
【請求項６】  規則エンジンによって正規化され、送信者と受信者の間で交換される健康管理データは、団体加入資格、団体登録、登録変更、書式一覧、電子商取引統合、保険プランウェブサイトからのアクセスまたはＵＲＬを経由する直接アクセス、内容特異的およびオンデマンドによる個人的内容の統合、電子商取引統合、および、健康管理関連製品知識・購買可能性、から成るグループから選ばれたものであって、ここに、受信者が雇用者であることを特徴とする、請求項１のシステム。
【請求項７】  規則エンジンによって正規化され、送信者と受信者の間で交換される健康管理データは、ＩＤカード請求、住所変更、プロバイダー総覧検索、関心プロフィールに基づく個人の健康情報、診断情報、関連物品および患者教育資料、健康管理サービスプロバイダーおよび保険プランからの通信、検査室およびＸ線試験結果、健康管理サービスプロバイダーとの予約スケジュール、処方追加、個人の健康記録、加入資格／特典情報、クレーム情報、照会・承認情報および状況、プロバイダー一覧、家系、医薬処方歴、および書式一覧から成るグループから選ばれたものであって、ここに、受信者が患者であることを特徴とする、請求項１のシステム。
【請求項８】  送信者から受信者へ健康管理データを通信する方法であって、
健康管理データを保存した第１コンピュータシステムを備える工程；
第１コンピュータシステムと動作可能に接続し、かつ、データベースに貯めるため、第１コンピュータシステムから、抽出された健康管理データを受信するように構成された、第２コンピュータシステムを備える工程；
下記の方法により、データベース内の前記抽出された健康管理データを正規化する規則エンジンを提供する工程；
指定のフォーマットで複数の健康管理データフィールドを同定する工程；
前記指定のフォーマットでの前記複数の健康管理データフィールド内にあるデータに対し、対応する正規化された状態を定義する工程；
前記データベース内の健康管理データフィールドを、前記抽出された健康管理データの対応するフィールドに合致させる工程；
前記抽出された健康管理データを、前記合致している、データベース内の健康管理データフィールドに入れる工程；
前記データベース内の合致しているフィールド内にある前記抽出された健康管理データの意味を判断する工程；
前記抽出された健康管理データの意味を、合致しているフィールドのデータに対し対応する正規化状態と比較することにより、前記抽出された健康管理データを正規化する工程；
前記抽出された健康管理データを対応する正規化された状態に変換する工程；及び、
規則エンジンによって正規化された健康管理データを第３コンピュータに通信する工程；
を含むことを特徴とする通信方法。
【請求項９】  前記第１コンピュータシステムが複数のコンピュータを含み、かつ、前記複数のコンピュータの内、１個を越える数において健康管理データを保存することを特徴とする、請求項８の方法。
【請求項１０】  前記第３コンピュータシステムが複数のコンピュータを含むことを特徴とする、請求項８の方法。
【請求項１１】  前記第１コンピュータ内の健康管理データが、複数の健康管理データベースにまたがって存在し、かつ、前記複数の健康管理データベースのそれぞれが前記第２コンピュータシステムと動作可能に接続していることを特徴とする、請求項８の方法。
【請求項１２】  送信者と受信者の間で健康管理データを交信するシステムであって、
健康管理データが保存される送信側コンピュータ；
データベースに保存するために、前記送信側コンピュータと動作可能に接続する中間コンピュータであって、前記中間コンピュータは抽出された健康管理データを受信するように構成され；
前記抽出された健康管理データを正規化するための規則エンジン；および
中間コンピュータと動作可能に接続し、前記正規化された健康管理データを受信するよう構成される受信側コンピュータ、
を含み、
前記規則エンジンは、指定のフォーマットでの複数の健康管理データを定義し、
前記指定のフォーマットでの前記複数のデータフィールド内にあるデータに対し、対応する正規化された状態が与えられ、
前記規則エンジンは、前記抽出された健康管理データの対応するフィールドと前記データベース内の健康管理データフィールドを合致させ、前記抽出された健康管理データを、前記合致している、データベース内の健康管理データフィールドに入れ、
前記規則エンジンは、また、前記データベース内の合致しているフィールド内にある前記抽出された健康管理データの意味を判断し、
前記規則エンジンは、前記抽出された健康管理データの意味を、前記複数の健康管理データフィールド内にあるデータに対して対応する正規化された状態と比較し、前記抽出された健康管理データを、前記対応する正規化された状態に変換することにより、前記抽出された健康管理データを正規化する、
ことを特徴とするシステム。
【請求項１３】  前記送信側コンピュータは、それぞれが健康管理データの一部を保存する複数のコンピュータであることを特徴とする、請求項１２のシステム。
【請求項１４】  前記規則エンジンは、前記受信側コンピュータが健康管理データの受容を許可されているかどうかを決定することを特徴とする、請求項１２のシステム。
【請求項１５】  受信者が健康管理サービスプロバイダーである場合、規則エンジンによって正規化され、送信者と受信者の間で交換される前記健康管理データは、加入資格／特典表示、メンバーリスト、クレーム提出、健康管理サービスプロバイダー一覧、書式一覧、診断コード一覧、処置コード一覧、オンラインアクセス健康管理プラン情報、オンライン通信健康管理プラン、患者とのオンライン通信、幾つかの保険プランにまたがる患者側データ、順序発生と追跡、結果総覧と発表、結果の印刷、処方書き込み、各患者における処方歴、患者の承認に基づく患者の個人的医学的記録へのアクセス、内容特異的およびオンデマンドによる個人の医学的内容と健康管理内容の統合、電子商取引−診察室、医学・健康管理関連製品知識・購買可能性、ｅメール、医業管理システム加入、病気治療支援、および、医師クレジット制加入、から成るグループから選ばれたものであることを特徴とする、請求項１２のシステム。
【請求項１６】  受信者が雇用者である場合、規則エンジンによって正規化され、送信者と受信者の間で交換される前記健康管理データは、団体加入資格、団体登録、登録変更、書式一覧、電子商取引統合、保険プランウェブサイトからのアクセスまたはＵＲＬを経由する直接アクセス、内容特異的およびオンデマンドによる個人的内容の統合、電子商取引統合、および、健康管理関連製品知識・購買可能性、から成るグループから選ばれたものであることを特徴とする、請求項１２のシステム。
【請求項１７】  受信者が患者である場合、規則エンジンによって正規化され、送信者と受信者の間で交換される前記健康管理データは、ＩＤカード請求、住所変更、プロバイダー総覧検索、関心プロフィールに基づく個人の健康情報、診断情報、関連物品および患者教育資料、健康管理サービスプロバイダーおよび保険プランからの通信、検査室およびＸ線試験結果、健康管理サービスプロバイダーとの予約スケジュール、処方追加、個人の健康記録、加入資格／特典情報、クレーム情報、照会・承認情報および状況、プロバイダー一覧、家系、医薬処方歴、および書式一覧から成るグループから選ばれることを特徴とする、請求項１２のシステム。
【請求項１８】  保険業者と加入者の間を交信させる健康管理データの正規化システムであって、
前記健康管理データを含む少なくとも一つのデータベースを維持するように構成される保険業者システム；
前記保険業者システムおよび前記データベースと動作可能に接続する中間システム；
前記データベース中の前記抽出された健康管理データを指定のフォーマットに正規化する規則エンジン；および
前記中間システムと動作可能に接続する加入者システム；
とを有し、
前記中間システムは、保険業者システムのデータベースから健康管理データを抽出し、その健康管理データを、抽出データとして、暫定データベースに保存するように構成され、
前記規則エンジンは、指定のフォーマットで複数の健康管理データフィールドを同定し、
前記規則エンジンは、前記抽出された健康管理データの対応するフィールドと前記データベース内の健康管理データフィールドを合致させ、前記抽出された健康管理データを、前記合致している、データベース内の健康管理データフィールドに入れ、
前記規則エンジンは、また、前記データベース内の合致しているフィールド内にある前記抽出された健康管理データの意味を判断し、
前記規則エンジンは、前記抽出された健康管理データの意味を、前記合致しているフィールドの指定のフォーマットと比較し、前記抽出された健康管理データを前期指定のフォーマットにリフォーマットすることにより、前記抽出された健康管理データを正規化し、
前記加入者システムは、前記正規化された健康管理データを規則エンジンに従って受信するよう構成される、
ことを特徴とするシステム。
【請求項１９】  前記少なくとも一個のデータベースが複数のデータベースであり、前記中間システムは、前記複数のデータベースに動作可能に接続されることを特徴とする、請求項１８のシステム。
【請求項２０】  前記加入者システムは請求を送信し、この請求は中間システムに送られ、中間システムは、前記請求に対して応答するために、どの健康管理データを抽出し、正規化するかを決定することを特徴とする、請求項１８のシステム。
【請求項２１】  インターネットを通じて、前記加入者システムは請求を送信し、前記中間システムは正規化データを送信することを特徴とする、請求項２０のシステム。
【請求項２２】  前記中間システムは、抽出データが正規化される際に、無効とされた抽出データを除去するエラーデータ・システムを含むことを特徴とする、請求項１８のシステム。
【請求項２３】  前記無効と特定された抽出データが訂正され、かつ、正規化されることを特徴とする、請求項２２のシステム。
【請求項２４】  前記中間システムは、該中間システムの活動を追跡するための監査データベースを含むことを特徴とする、請求項１８のシステム。
【請求項２５】  前記規則エンジンは、指定の指示内容に従って前記正規化データ同士の関係を定義し、それによって請求に対する応答を定めることを特徴とする、請求項２０のシステム。
【請求項２６】  保険業者、臨床検査室および少なくとも一人の保険加入者の間で医学検査実施の健康管理を実行するシステムであって、
加入者コンピュータであって、そこにおいて医学検査請求が第１指定フォーマットに従って発せられる加入者コンピュータ；
加入者コンピュータに動作可能に接続し、それを通じて前記医学検査請求が伝送される保険業者処理システム；および、
前記処理システムに動作可能に結合し、前記医学検査請求を、それが規則エンジンによって承認された場合、受信する検査室コンピュータ、
を有し、
該処理システムは規則データベースに動作可能に結合し、指定の基準に従って前記医学検査請求を承認し、
医学検査の結果は検査室コンピュータから処理システムに送信され、該システムにおいて、前記結果が、検査室コンピュータに動作可能に結合される保険業者コンピュータ、および、加入者コンピュータに送信される、
ことを特徴とするシステム。
【請求項２７】  前記処理システムは、医学検査の結果を、保険業者コンピュータのデータベースが読み取り可能な、第２の指定フォーマットに変換することを特徴とする、請求項２６のシステム。
【請求項２８】  前記少なくとも一人の保険加入者は、健康管理サービスプロバイダー、雇用者、および、患者から成るグループから選ばれることを特徴とする請求項２６のシステム。
【請求項２９】  前記医学検査請求および医学検査結果が、インターネットを通じて送信されることを特徴とする、請求項２６のシステム。